(57)【要約】      （修正有）【課題】背中の必要な筋肉を支えることで、背骨を支えて姿勢を整え苦痛を感じることなく、上半身のボディラインとバストラインを整える筋力サポートを提供する。【解決手段】伸縮性の高い高伸縮性ニットの身生地の背中部分に伸縮性の低い低伸縮性生地のベルト状のＹ字ベルトと水平ベルトを結合させて着用することで、背骨を支える筋肉（僧帽筋・広背筋・脊柱起立筋）に組み合わせて、背骨を支えるとともに肩甲骨を引き寄せ、姿勢を整え、身生地の圧縮力や副資材による苦痛を感じることなくボディライン・バストラインを整える。さらに、背中の水平ベルトは、バストのアンダーバストの位置にあって、ワイヤーなどの副資材を使用しないでバストを固定し安定したバストの着用感をつくる。【選択図】図１
0003183828.tif 000002
【実用新案登録請求の範囲】
【請求項１】
伸縮性の高い高伸縮性ニット生地の身体に密着する衣類において、その上半身の背側にあって装着したときに僧帽筋の両サイドに沿うように両肩先部から背中央で交差しその後背中央の脊柱起立筋に沿うように略垂直に下降して形成されるＹ字状のＹ字ベルトが前記高伸縮性ニット生地に添設され、前記Ｙ字ベルトは前記高伸縮性ニット生地よりも伸縮性の低い低伸縮性生地により形成され、
前記Ｙ字ベルトは肩先部から背中央部に向けて徐々にその幅を拡げて前記僧帽筋および前記脊柱起立筋をサポートする、ことを特徴とする筋肉サポート衣類。
【請求項２】
前記Ｙ字ベルトは略中央部分で湾曲した湾曲部を有する一対のベルトが前記湾曲部からその下部が重ね合されて形成され、前記湾曲部が前記Ｙ字ベルトの交差部分に相当する、ことを特徴とする請求項１に記載の筋力サポート衣類。
【請求項３】
前記Ｙ字ベルトの交差部分からアンダーバスト部まで略水平に水平ベルトが延伸し、前記水平ベルトは前記Ｙ字ベルトと同様の低伸縮性ニット生地により形成されている、ことを特徴とする請求項１または請求項２に記載の筋力サポート衣類。
【請求項４】
前記Ｙ字ベルトおよび前記水平ベルトは低伸縮性のパワーネットにより形成されている、ことを特徴とする請求項１ないし請求項３のいずれかに記載の筋力サポート衣類。
【考案の詳細な説明】
【技術分野】
【０００１】
本考案は、姿勢を正しバストを整えるために着用される衣類に関するものである。
【背景技術】
【０００２】
一般に、補整効果のあるボディスーツやブラジャーは、生地の圧縮力や副資材などで、体に圧力をかけ強制的に引きしめ、体のラインを整えバストを豊かに見せる下着で、着用する人に大きな苦痛を与えるとともに、体内の血液やリンパ液の循環を妨げることで冷え性などの問題が生じることとなっていた。
【先行技術文献】
【特許文献】
【０００３】
【特許文献１】特開２００１−１２３３０２号公報
【考案の概要】
【考案が解決しようとする課題】
【０００４】
解決しようとする課題は、背中の必要な筋肉を支えることで、背骨を支えて姿勢を整え、苦痛を感じることなく、上半身のボディラインとバストラインを整える衣類の提供にある。
【課題を解決するための手段】
【０００５】
前記課題を解決するために、請求項１に記載の筋肉サポート衣類は、伸縮性の高い高伸縮性ニット生地の身体に密着する衣類において、その上半身の背側にあって装着したときに僧帽筋の両サイドに沿うように両肩先部から背中央で交差しその後背中央の脊柱起立筋に沿うように略垂直に下降して形成されるＹ字状のＹ字ベルトが前記高伸縮性ニット生地に添設され、前記Ｙ字ベルトは前記高伸縮性ニット生地よりも伸縮性の低い低伸縮性生地により形成され、前記Ｙ字ベルトは肩先部から背中央部に向けて徐々にその幅を拡げて前記僧帽筋および前記脊柱起立筋をサポートすることを特徴としている。
また、請求項２に記載の筋力サポート衣類は、請求項１に記載の筋力サポート衣類であって、前記Ｙ字ベルトは略中央部分で湾曲した湾曲部を有する一対のベルトが前記湾曲部からその下部が重ね合されて形成され、前記湾曲部が前記Ｙ字ベルトの交差部分に相当する、ことを特徴としている。
そして、請求項３に記載の筋力サポート衣類は、請求項１または請求項２に記載の筋力サポート衣類に記載の筋力サポート衣類であって、前記Ｙ字ベルトの交差部分からアンダーバスト部まで略水平に水平ベルトが延伸し、前記水平ベルトは前記Ｙ字ベルトと同様の低伸縮性ニット生地により形成されている、ことを特徴としている。
さらに、請求項４に記載の筋力サポート衣類は、請求項１ないし請求項３のいずれかに記載の筋力サポート衣類に記載の筋力サポート衣類であって、前記Ｙ字ベルトおよび前記水平ベルトは低伸縮性のパワーネットにより形成されている、ことを特徴としている。
【考案の効果】
【０００６】
請求項１に係る考案によれば、着用するだけで背中部分に伸縮性の低い低伸縮性の生地Ｙ字ベルトで、僧帽筋を両肩先からサポートすることで、肩甲骨を引き寄せ、猫背姿勢から胸を張った正しい姿勢に正すとともに、バストラインも上向きにする。背中央部の背骨を支える脊柱起立筋に対してサポートすることで、正しい姿勢を保つ。
請求項２に係る考案によれば、両肩先からのＹ字ベルトが背中央部で重なり、背骨周りにある脊柱起立筋にサポートすることで、背骨を正しいＳ字カーブに保つとともに、安定した姿勢を保ちバストラインを上向きに保つ。
請求項３に係る考案によれば、背中の広背筋に合わせて伸縮性の低い低伸縮性の生地の水平ベルトで、アンダーバスト部分を支えることで、生地の伸縮性でバストを支えるため、バスト部分にワイヤーなどの副資材によるストレスを感じない安定した着用感をつくる。
【図面の簡単な説明】
【０００７】
【図１】図１は本考案の実施例を示すもので（ａ）は背面図（ｂ）は正面図である。
【図２】図２は同背面の裏側のＹ字ベルト（１）と水平ベルト（２）を示す図である。
【図３】図３は人体の背中の筋肉図である。
【図４】図４は本考案の第２の実施例を示すボディシェーパーで、（ａ）は背面図（ｂ）は正面図である。
【図５】図５は本考案の第３の実施例を示すブラジャーで、（ａ）は背面図（ｂ）は正面図である。
【考案を実施するための形態】
【０００８】
以下、ボディスーツの実地例を図面に基づいて詳細に説明する。図１は、本考案の正面図（ｂ）と背面図（ａ）、図２は、ボディスーツを裏返しにして、背面の伸縮性の低い低伸縮性の生地のＹ字ベルト（１）と水平ベルト（２）を斜線で示した図、図１で示すように、本考案のボディスーツは、伸縮性の高い高伸縮性ニット生地を素材とする身生地から成り、正面図は、腹部のみ伸縮性の低い低伸縮性生地で補強されている以外は、伸縮性が良い。図２の背面図の背中のＹ字ベルト（１）水平ベルト（２）の位置（斜線部分）が図３の人体の背中の筋肉、アウターマッスル（表層筋肉群）の僧帽筋と広背筋、インナーマッスル（深層筋肉群）脊柱起立筋をサポートすることで、背骨を正しいＳ字カーブを保つことができる。
【０００９】
図２背面図の伸縮性の低い低伸縮性のパワーネットベルト（斜線部）、背中の筋肉をサポートするＹ字ベルト（１）と水平ベルト（２）で背中のアウターマッスル（表層筋）僧帽筋と広背筋、インナーマッスル（深層筋）脊柱付近の筋肉を支えることで、背骨を本来のＳ字カーブにただし、肩甲骨を引き寄せ、正しい姿勢をつくる。
【００１０】
図２背面図の背中の筋肉広背筋を支える水平ベルト（２）は、アンダーバストの位置にあるので、身生地の伸縮性高い高伸縮性ニットと伸縮性の低い低伸縮性の水平ベルトを組み合わせることで、アンダーバストにワイヤーなどの副資材を使用しないで、ストレスを感じることなく安定してバストを固定することができる。
【００１１】
従来のボディスーツのように、身生地や副資材の圧縮力で、バスト周辺部ウエスト部分お腹部分背中部分を無理に引き締めるのではなく、背中の筋肉に合わせて、ベルト状のパワーネットベルトで背骨を支える筋肉僧帽筋・広背筋・脊柱起立筋をサポートする。パワーネットのベルトのない身生地部分は伸縮性が高いので、着用時に締め付け感が少なく、背骨を支える筋肉のみ作用するので、正しい姿勢を保つとともに、バストトップ位置も高い位置を保つことができる。
【産業上の利用可能性】
【００１２】
伸縮性の高い高伸縮性ニット生地の身生地に背中の伸縮性の低い低伸縮性のベルトＹ字ベルトと水平ベルトの組み合わせは、ボディスーツ以外の図４ボディシェーパー、図５ブラジャーなどブラジャー付き衣類においても同様の効果がある。
【符号の説明】
【００１３】
（１）Ｙ字ベルト
（２）水平ベルト
【図１】
0003183828.tif 000003
【図２】
0003183828.tif 000004
【図３】
0003183828.tif 000005
【図４】
0003183828.tif 000006
【図５】
0003183828.tif 000007